(57)【特許請求の範囲】
【請求項１】
一対の電極が形成された第１基板と、複数色のカラーフィルタ層が形成された第２基板と、前記第１基板と前記第２基板との間に挟持された液晶層とを有し、前記第１基板及び前記第２基板のそれぞれにサブ画素がマトリクス状に配列された表示領域を有している液晶表示装置において、
前記第２基板は、少なくとも緑色層、赤色層及び青色層を含む複数色の色層が、それぞれ前記サブ画素に対応して形成されるカラーフィルタ層を備え、
前記第１基板の一対の電極の少なくとも一方には複数のスリットが形成され、
緑色、赤色、青色のうち、人の目の感度が最も高い緑色光を出射する前記緑色層に対応するサブ画素は、前記複数のスリットの延在方向が二方向に分かれた電極形状を有し、人の目の感度が最も低い青色光を出射する前記青色層に対応するサブ画素は、前記複数のスリットの延在方向が一方向の電極形状を有する、
液晶表示装置。
【請求項２】
前記赤色層に対応するサブ画素は、前記複数のスリットの延在方向が二方向に分かれた電極形状を有し、白色の色度を青色側に修正する、
請求項１に記載の液晶表示装置。
【請求項３】
前記赤色層に対応するサブ画素は、前記複数のスリットの延在方向が一方向の電極形状を有し、白色の色度をマゼンタ側に修正する、
請求項１に記載の液晶表示装置。
【請求項４】
前記スリットは前記一対の電極の双方に形成されて、前記一対の電極は共にくし歯状に互いに噛み合うように所定距離隔てて配置されている、
請求項１〜３の何れかに記載の液晶表示装置。
【請求項５】
前記一対の電極は間に絶縁膜を介して互いに積層配置され、前記複数のスリットが形成された一方の電極は前記液晶層側に配置されている、
請求項１〜３の何れかに記載の液晶表示装置。
【請求項６】
前記一対の電極は前記第１基板の表面に形成された平坦化膜上に設けられている、
請求項５に記載の液晶表示装置。
【発明の詳細な説明】
【技術分野】
【０００１】
本発明は、液晶表示装置に関し、特に白の色度が良好で、コントラスト及び視野角特性
が優れたＩＰＳモード（In-Plane Switching）ないしＦＦＳモード（Fringe Field Switc
hing）等の横電界方式ないし斜め電界方式の液晶表示装置に関する。
【背景技術】
【０００２】
液晶表示装置は、表面に電極等が形成された一対の基板と、この一対の基板間に挟持さ
れた液晶層とを有し、両基板上の電極に電圧を印加することによって液晶を再配列させて
種々の情報を表示する縦電界方式のものが多く使用されている。このような縦電界方式の
液晶表示装置は、ＴＮ（Twisted Nematic）モードのものが一般的であるが、視野角が狭
いという問題点が存在するため、ＶＡ（Vertical Alignment）モードやＭＶＡ（Multidom
ain Vertical Alignment）モード等、種々の改良された縦電界方式の液晶表示装置が開発
されている。
【０００３】
一方、上述の縦電界方式の液晶表示装置とは異なり、一方の基板にのみ画素電極及び共
通電極からなる一対の電極を備えたＩＰＳモードないしＦＦＳモードの液晶表示装置も知
られている。このうちＩＰＳモードの液晶表示装置は、一対の電極を同一層に配置し、液
晶に印加する電界の方向を基板にほぼ平行な方向として液晶分子を基板に平行な方向に再
配列するものである。そのため、このＩＰＳモードの液晶表示装置は、横電界方式の液晶
表示装置ともいわれ、前述の縦電界方式の液晶表示装置と比すると非常に広視野角である
という利点を有している。
【０００４】
また、ＦＦＳモードの液晶表示装置は液晶層に電界を印加するための画素電極と共通電
極をそれぞれ絶縁膜を介して異なる層に配置したものである。このＦＦＳモードの液晶表
示装置は、ＩＰＳモードの液晶表示装置よりも広視野角かつ高コントラストであり、更に
低電圧駆動ができると共により高透過率であるため明るい表示が可能となるという特徴を
備えている。加えて、ＦＦＳモードの液晶表示装置は、ＩＰＳモードの液晶表示装置より
も平面視で画素電極と共通電極との重複面積が大きいために、より大きな補助容量が副次
的に生じ、別途補助容量線を設ける必要がなくなるという長所も存在している。
【０００５】
これらの従来のＩＰＳモードないしＦＦＳモードの液晶表示装置においては、図７に示
したように、液晶層側の電極５１に形成する複数のスリット５２の延在方向を、斜め方向
の一方向とすること（１ドメインタイプ：下記特許文献１参照）や、図８に示したように
、二方向に分けて形成すること（２ドメインタイプ：下記特許文献２及び３参照）も提案
されている。
【０００６】
なお、図７は１ドメインタイプの液晶表示装置５０Ａのカラーフィルタ基板を透視して
表した３サブ画素分の平面図である。また、図８は２ドメインタイプの液晶表示装置５０
Ｂのカラーフィルタ基板を透視して表した３サブ画素分の平面図である。
【０００７】
更に、液晶表示装置においては白の色度が重視されており、従来はカラーフィルタ層な
いしバックライト電源を調整することで所定の白の色度となるようにすることが行われて
いた。
【特許文献１】特開２０００−０２９０７２号公報
【特許文献２】特開２０００−０１０１１０号公報
【特許文献３】特開２００７−０１７６１９号公報
【発明の開示】
【発明が解決しようとする課題】
【０００８】
上述のように、ＩＰＳモードないしＦＦＳモードの液晶表示装置において、液晶層側の
電極に形成する複数のスリットの延在方向を斜め方向の一方向、すなわち１ドメインタイ
プとなるようにすると、スリット間ないし電極間の間隔を一定とすることができるため、
高開口率及び高透過率を達成することができる。それに対し、液晶層側の電極に形成する
複数のスリットの延在方向を二方向、すなわち２ドメインタイプなるように形成すると、
コントラストや視野角特性を改善することができるが、スリットの延在方向を二方向に分
けた部分でスリット間ないし電極間の間隔が大きくなった箇所が存在する。このようなス
リット間ないし電極間の間隔が大きくなった箇所は表示に有効に利用できないため、開口
度が実質的に低下する。加えて、液晶表示装置の白の色度を変えるためにカラーフィルタ
層やバックライト光源を調整することは、従来から広く使用されているカラーフィルタ層
やバックライト光源をそのまま使用することができなくなるため、製造効率が低下する。
【０００９】
以上のような事情に鑑み、本発明の目的は、コントラストや視野角特性が良好であると
ともに、明るく、しかも従来のカラーフィルタ層やバックライト光源をそのまま使用して
も、白の白色度を所望の状態に近いものとすることができるＩＰＳモードないしＦＦＳモ
ードの液晶表示装置を提供することにある。
【課題を解決するための手段】
【００１０】
上記目的を達成するため、本発明の液晶表示装置は、一対の電極が形成された第１基板と、複数色のカラーフィルタ層が形成された第２基板と、第１基板と第２基板との間に挟持された液晶層とを有し、第１基板及び第２基板のそれぞれにサブ画素がマトリクス状に配列された表示領域を有している液晶表示装置において、第２基板は、少なくとも緑色層、赤色層及び青色層を含む複数色の色層が、それぞれサブ画素に対応して形成されるカラーフィルタ層を備え、第１基板の一対の電極の少なくとも一方には複数のスリットが形成され、緑色、赤色、青色のうち、人の目の感度が最も高い緑色光を出射する緑色層に対応するサブ画素は、複数のスリットの延在方向が二方向に分かれた電極形状を有し、人の目の感度が最も低い青色光を出射する青色層に対応するサブ画素は、複数のスリットの延在方向が一方向の電極形状を有する。
【００１１】
本発明の液晶表示装置は、一対の電極が形成された第１基板と、複数色のカラーフィル
タ層が形成された第２基板と、前記第１基板と第２基板との間に挟持された液晶層とを有
し、前記第１基板及び第２基板のそれぞれにサブ画素がマトリクス状に配列された表示領
域を有している。この液晶表示装置は、ＩＰＳモードないしＦＦＳモードで作動させるこ
とができる。なお、一対の電極としては、ＩＴＯ（Indium Tin Oxide）ないしＩＺＯ（In
dium Zinc Oxide）等の透明導電性材料を使用することができる。また、第１電極と第２
電極とは、同じ組成の材料で形成されていても、異なる組成の材料で形成されていてもよ
い。
【００１２】
また、本発明の液晶表示装置は、第１基板の一対の電極の少なくとも一方には複数のスリットが形成され、前記複数のスリットの延在方向は、少なくとも緑色層に対応するサブ画素では二方向（２ドメインタイプ）に分けられている。一方、青色層に対応するサブ画素では一方向（１ドメインタイプ）となされている。緑色は人の目に最も感度が高い色であるから、緑色のサブ画素のコントラストや視野特性は最も目立つが、この緑色のサブ画素を２ドメインタイプとすることによりコントラストや視野特性を良好とすることができる。しかも、青色のサブ画素を１ドメインタイプとすることにより、その高開口率及び高透過率を利用して明るさを確保することができる。そのため、本発明の液晶表示装置によれば、コントラストや視野角特性が良好であるとともに、明るく、従来のカラーフィルタ層やバックライト光源をそのまま使用しても、白の白色度が所望の状態に近いＩＰＳモードないしＦＦＳモードの液晶表示装置が得られる。
【００１３】
なお、本発明の液晶表示装置においては、カラーフィルタ層として、更には白（Ｗ）のフィルタ層を加えた４色からなるものを使用し得る。また、マゼンタ（Ｍ）、黄（Ｙ）、シアン（Ｃ）のフィルタ層のうち任意の１色ないし３色を加えたものも使用し得る。
【００１４】
また、本発明の液晶表示装置においては、赤色層に対応するサブ画素は、複数のスリットの延在方向が二方向に分かれた電極形状を有し、白色の色度を青色側に修正することができる。
【００１５】
青色は人の目に最も感度が低い色であるので、青色のサブ画素のコントラストや視野特
性は最も目立たない。そのため、係る態様の液晶表示装置によれば、青色のカラーフィル
タ層に対応するサブ画素を１ドメインタイプとすることにより、その高開口率及び高透過
率を利用して青色の明るさを確保することができ、また白色の色度を青色側に修正するこ
とができるようになる。
【００１６】
また、本発明の液晶表示装置においては、赤色層に対応するサブ画素は、複数のスリットの延在方向が一方向の電極形状を有し、白色の色度をマゼンタ側に修正することができる。
【００１７】
本発明の青色と赤色を混合するとマゼンタ色となる。そのため、係る態様の液晶表示装
置によれば、白色光の色度をマゼンタ側に修正することができるようになる。
【００１８】
また、本発明の液晶表示装置においては、スリットは一対の電極の双方に形成されて、一対の電極は共にくし歯状に互いに噛み合うように所定距離隔てて配置されているものとすることができる。係る態様の液晶表示装置によれば、ＩＰＳモードの液晶表示装置が得られる。
【００１９】
また、本発明の液晶表示装置においては、一対の電極は間に絶縁膜を介して互いに積層配置され、複数のスリットが形成された一方の電極は液晶層側に配置されているものとすることができる。係る態様の液晶表示装置によれば、ＦＦＳモードの液晶表示装置が得られる。
【００２０】
また、本発明の液晶表示装置によれば、一対の電極は第１基板の表面に形成された平坦化膜上に設けられているものとすることができる。
【００２１】
一対の電極が第１基板の表面に形成された平坦化膜上に形成されていると、第１電極や
第２電極には第１基板上に形成されているスイッチング素子、走査線、ゲート配線、コモ
ン配線等の存在による段差が生じなくなる。そのため、係る態様の液晶表示装置によれば
、第１基板及び第２基板間の間隔、すなわちセルギャップが均一となり、更に、表示領域
内において遮光部材で遮光しなければならない領域の面積が減少するため、開口率が大き
くなる。
【発明を実施するための最良の形態】
【００２２】
以下、図面を参照して本発明の最良の実施形態を実施例及び比較例を用いて説明する。
但し、以下に示す実施例は、本発明の技術思想を具体化するための液晶表示装置としてＦ
ＦＳモードの液晶表示装置を例示するものであって、本発明をこのＦＦＳモードの液晶表
示装置に特定することを意図するものではなく、特許請求の範囲に含まれるその他の実施
形態のものにも等しく適応し得るものである。また、この明細書における説明のために用
いられた各図面においては、各層や各部材を図面上で認識可能な程度の大きさとするため
、各層や各部材毎に縮尺を異ならせて表示しており、必ずしも実際の寸法に比例して表示
されているものではない。
【００２３】
図１は第１の実施形態のＦＦＳモードの液晶表示装置の２ドメインタイプのカラーフィ
ルタ基板を透視して表した１サブ画素分の平面図である。図２は図１のII−II線に沿った
断面図である。図３は図１のIII−III線に沿ったアレイ基板の断面図である。図４Ａは図
１のIVA−IVA線に沿ったアレイ基板の部分断面図であり、図４Ｂは図１のIVB−IVB線に沿
ったアレイ基板の部分断面図であり、図４Ｃは図１のIVC−IVC線に沿ったアレイ基板の部
分断面図である。図５は第１の実施形態のＦＦモードの液晶表示装置の３サブ画素分のア
レイ基板の概略平面図である。図６は第２の実施形態のＦＦモードの液晶表示装置の３サ
ブ画素分のアレイ基板の概略平面図である。
【００２４】
［第１の実施形態］
まず、本発明の第１の実施形態として、スイッチング素子として薄膜トランジスタ（Th
in Film Transistor：以下「ＴＦＴ」という）素子を用いた透過型のＦＦＳモードの液晶
表示装置１０Ａを例に挙げて図１〜図５を用いて説明する。この液晶表示装置１０Ａは、
アレイ基板（第１基板）ＡＲと、カラーフィルタ基板（第２基板）ＣＦ、バックライトＢ
Ｌと、を備えている。アレイ基板ＡＲは、ガラス基板等の透明基板１１の表示領域に複数
の走査線１２及び複数のコモン配線１３が互いに平行になるように形成されている。そし
て、これら複数の走査線１２及び複数のコモン配線１３表面及び露出している透明基板１
１の表面全体に亘って窒化ケイ素層ないし酸化ケイ素層からなるゲート絶縁膜１４が被覆
されている。このゲート絶縁膜１４のＴＦＴ形成領域にはａ−Ｓｉ層からなる半導体層１
５が形成されている。この半導体層１５が形成されている位置の走査線１２の領域がＴＦ
Ｔのゲート電極Ｇを形成する。
【００２５】
また、表示領域において、走査線１２に交差するようにＴＦＴ形成領域のソース電極Ｓ
に連なる信号線１６が形成され、更にＴＦＴ形成領域にドレイン電極Ｄが形成されている
。これらのソース電極Ｓ及びドレイン電極Ｄは半導体層１５に部分的に重なっている。ま
た、ＴＦＴ、信号線１６及び露出しているゲート絶縁膜１４の表面全体が、窒化ケイ素層
ないし酸化ケイ素層からなるパッシベーション膜１７で被覆されている。なお、コモン配
線１３上のゲート絶縁膜１４及びパッシベーション膜１７にはコンタクトホール２１が形
成されており、また、ドレイン電極Ｄ上のパッシベーション膜１７にはコンタクトホール
２４が形成されている。さらに、パッシベーション膜１７の表面には、コンタクトホール
２１及び２４の部分を除いて、例えばアクリル樹脂ないしポリイミド樹脂から成る平坦化
膜（層間膜とも称される）１８が積層されている。この平坦化膜１８の表面には、それぞ
れのサブ画素毎に、例えばＩＴＯやＩＺＯからなる透明導電性層からなる下電極２２が形
成されており、この下電極２２はコンタクトホール２１を介してコモン配線１３と電気的
に接続されている。従って、この下電極２２は共通電極として機能する。
【００２６】
更に、下電極２２が形成された透明基板１１の表面全体に亘って窒化ケイ素層ないし酸
化ケイ素層からなる絶縁膜２３が形成されている。更に、絶縁膜２３の表面には、それぞ
れのサブ画素領域毎に複数のスリット２５が形成された上電極２６が形成され、この上電
極２６はコンタクトホール２４を介してドレイン電極Ｄと電気的に接続されている。従っ
て、この上電極２６は画素電極として機能する。なお、この第１の実施形態の液晶表示装
置１０Ａにおけるサブ画素毎の上電極２６に形成されたスリット２５の詳細については後
述する。また、表示部の上電極２６を含む表面全体にラビング処理された配向膜（図示せ
ず）が設けられている。更に、アレイ基板ＡＲの外側表面には第１の偏光板２７が貼付さ
れている。この第１の偏光板２７の透過軸は、上電極２６に形成されたスリット２５の延
在方向に直角な方向となっている。
【００２７】
なお、ここでは、下電極２２を共通電極とし、上電極２６を画素電極とした構成を示し
たが、例えば、下電極２２を画素電極としてドレイン電極Ｄと接続させ、上電極２６を共
通電極として画素内または表示領域周辺部に配置されているコモン配線１３に電気的に接
続させた構成とすることも可能である。
【００２８】
また、カラーフィルタ基板ＣＦは、図２に示したように、第２の透明基板２８の表面に
、個々の液晶表示装置１０Ａの走査線１２、信号線１６及びＴＦＴに対応する位置を被覆
するように遮光膜２９が形成されている。更に、遮光膜２９で囲まれた第２の透明基板２
８の表面には、所定の色のカラーフィルタ層３０が形成されている。また、遮光膜２９及
びカラーフィルタ層３０の表面を被覆するようにオーバーコート層３１が形成されている
。そして、オーバーコート層３１の表面には配向膜（図示せず）が形成されている。この
カラーフィルタ基板ＣＦの配向膜とアレイ基板ＡＲの配向膜のラビング方向は、平面視で
同一方向であるが、上電極２６に形成されるスリット２５に対して５°〜１０°程度傾い
ている方向が望ましい。
【００２９】
このカラーフィルタ層３０は、例えば赤色層Ｒ、緑色層Ｇ、青色層Ｂの３色の色の層か
らなる。すなわち、１つのサブ画素には３色のうち１色のカラーフィルタ層３０が設けら
れており、カラーフィルタ層３０の赤色層Ｒ、緑色層Ｇ、青色層Ｂは各々隣接する列に配
置されている。互いに隣接し異なる色層のカラーフィルタ層３０を有する３つのサブ画素
が１組になって、１画素（１ピクセル）を構成している。ただし、カラーフィルタ層３０
は３色に限らず、白（Ｗ）のフィルタ層を加えた４色からなるものや、マゼンタ（Ｍ）、
黄（Ｙ）、シアン（Ｃ）のフィルタ層のうち任意の１色ないし３色を加えたものも使用す
ることができる。また、遮光膜２９は、光を反射又は吸収可能な材料からなる遮光部材で
あり、当該カラーフィルタ層３０の周囲に設けられている。また、第２の透明基板２８の
外側には第２の偏光板３２が貼付されている。この第２の偏光板３２の透過軸は第１の偏
光板２７の透過軸と直角になるようになされている。
【００３０】
そして、アレイ基板ＡＲの上電極２６とカラーフィルタ基板ＣＦのカラーフィルタ層３
０とが互いに対向するように、アレイ基板ＡＲ及びカラーフィルタ基板ＣＦが対向され、
その間に液晶３３が封入されている。次いで、アレイ基板ＡＲの外側にバックライト装置
ＢＬが配置されて第１の実施形態の液晶表示装置１０Ａが完成される。
【００３１】
この液晶表示装置１０Ａにおいては、バックライトＢＬから射出された光は、第１の偏
光板２７を透過するときに第１の偏光板２７の透過軸に平行な直線偏光光に変換されて下
電極２２及び上電極２６を透過して液晶層３３に入射する。そして、液晶表示装置１０Ａ
が駆動状態（下電極２２と上電極２６との間に電圧が印加された状態）であれば、このバ
ックライトＢＬからの入射光は液晶層３３により所定の位相差（λ／２）を付与され、第
２の偏光板３２の透過軸と平行な直線偏光光に変換される。そのため、第２の偏光板３２
を透過した光が表示光として視認され、このサブ画素は明表示となる。
【００３２】
一方、液晶表示装置１０Ａが非駆動状態（下電極２２と上電極２６との間に電圧が印加
されていない状態）であれば、第１の偏光板２７を透過した第１の偏光板２７の透過軸に
平行な直線偏光光は液晶層３３を透過するときにその偏光状態を維持したまま第２の偏光
板３２に達する。しかしながら、第２の偏光板３２の透過軸は入射光の直線偏光方向と直
交する方向となっているので、液晶層３３を透過してきた光は第２の偏光板３２を透過す
ることができない。そのため、この液晶表示装置１０Ａは暗表示となる。従って、この第
１の実施形態の液晶表示装置１０Ａはノーマリーブラックモードで作動する。
【００３３】
ここで、第１の実施形態の液晶表示装置１０Ａにおいて、３つのサブ画素の上電極２６
に形成したスリットの形状について詳細に説明する。この液晶表示装置１０Ａでは、図５
に示したように、緑（Ｇ）のカラーフィルタ層に対応する画素電極２６の複数のスリット
の延在方向は、二方向に分けられているが、赤（Ｒ）及び青（Ｂ）のカラーフィルタ層に
対応するサブ画素では一方向となされている。このようにスリット２５の延在方向が二方
向に分かれている場合と一方向である場合との液晶表示装置の液晶分子の動きの差異を図
４を用いて説明する。
【００３４】
図４Ａはスリット２５の延在方向が一方向である１ドメインタイプに対応する部分の断
面図である。上電極２６と下電極２２との間に生じる電気力線Ｅはスリット２５を通って
下電極２２に至る。スリット２５の延在方向が一方向であると、図４Ａに示したように、
上電極２６及びスリット２５の幅はほぼ同程度となっているので、上電極２６上及びスリ
ット２５内の電気力線Ｅの密度は高くなっているため、上電極２６上及びスリット２５内
の液晶分子は良好に駆動される。従って、スリット２５の延在方向が一方向である１ドメ
インタイプの場合、上電極２６上及びスリット２５内においても良好に発色する。
【００３５】
また、図４Ｂは、スリット２５の延在方向が二方向に分かれた２ドメインタイプの２つ
のスリットが結合している部分の断面図である。図４Ｂに示したように、２ドメインタイ
プとした場合には、２つのスリット２５が結合している部分にスリット２５の幅がその両
側の上電極２６の幅よりも広くなる領域Ｘが存在する。従って、この領域Ｘの両側の上電
極２６の表面では、電気力線Ｅの密度は高いために良好に発色する。しかし、スリット２
５の幅が広くなっている領域Ｘでは、電気力線Ｅの密度が低いため、液晶分子が良好に駆
動されないので、発色が弱くなる。
【００３６】
また、図４Ｃは、２ドメインタイプの２つのスリットの延在方向における先端部分の断
面図である。図４Ｃに示したように、２ドメインタイプとした場合、２つのスリットの延
在方向における先端部分の間に位置する上電極２６には幅が広くなっている領域Ｙが存在
する。このような場合、スリット２５内では電気力線Ｅの密度が高いために良好に発色す
る。しかし、上電極２６の幅が広くなっている領域Ｙでは、電気力線Ｅの密度が低いため
、液晶分子が良好に駆動されないため、発色が弱くなる。
【００３７】
このように、スリット２５の延在方向を二方向に分けた２ドメインタイプのサブ画素で
は、上述の領域Ｘ及びＹにおいて発色が弱くなるが、コントラスト及び視野角特性は良好
となる。それに対し、複数のスリットの延在方向が１方向である１ドメインタイプのサブ
画素では、上電極２６上及びスリット２５の内部に置いても良好に液晶分子が駆動される
ために発色が良好となり、２ドメインタイプのサブ画素に比すると高開口率及び高透過率
を達成できる。
【００３８】
一方、緑（Ｇ）は人の目に最も感度が高い色であるから、緑（Ｇ）のサブ画素のコント
ラストや視野特性は最も目立つ。それに対し、青（Ｂ）は人の目に最も感度が低い色であ
るので、青（Ｂ）のサブ画素のコントラストや視野特性は最も目立たない。そこで、第１
の実施形態の液晶表示装置１０Ａでは、図５に示したように、緑（Ｇ）のサブ画素に対応
する上電極２６に形成する複数のスリットの延在方向を二方向に分けて２ドメインタイプ
とし、赤（Ｒ）及び青（Ｂ）のサブ画素に対応する上電極２６に形成する複数のスリット
の延在方向を一方向として１ドメインタイプとした。
【００３９】
このような構成の第１の実施形態の液晶表示装置１０Ａによれば、人の目の視感度が高
い緑（Ｇ）のサブ画素を２ドメインタイプとすることによりコントラストや視野特性を確
保した上で、人の目の視感度が緑（Ｇ）よりも低い赤（Ｒ）及び青（Ｂ）のサブ画素にお
いては１ドメインタイプとすることで明るさを確保することができる。また、この場合に
おいては、１ドメインタイプとしたサブ画素の色が強調されるため、白色の色度を赤（Ｒ
）及び青（Ｂ）の両者が混ざった色であるマゼンタ（Ｍ）側に修正することができる。そ
のため、第１の実施形態の液晶表示装置１０Ａによれば、コントラストや視野角特性が良
好であるとともに、明るく、従来のカラーフィルタ層やバックライト光源をそのまま使用
しても、白の白色度が所望の状態に近いＦＦＳモードの液晶表示装置が得られる。
【００４０】
［第２の実施形態］
上記第１の実施形態の液晶表示装置１０Ａでは、３つのサブ画素のうち緑（Ｇ）のカラ
ーフィルタ層に対応するサブ画素のみを２ドメインタイプとした例を示したが、本発明の
液晶表示装置では少なくとも人の目に最も視感度が高い緑（Ｇ）のカラーフィルタ層に対
応するサブ画素が２ドメインタイプとされていればよい。そこで、第２の実施形態の液晶
表示装置１０Ｂでは、赤（Ｒ）及び緑（Ｇ）のカラーフィルタ層に対応するサブ画素を２
ドメインタイプとした。この第２の実施形態の液晶表示装置１０Ｂを図６を用いて説明す
る。
【００４１】
なお、第２の実施形態の液晶表示装置１０Ｂにおいては、緑（Ｇ）のカラーフィルタ層
に対応するサブ画素だけでなく赤（Ｒ）のカラーフィルタ層に対応するサブ画素も上電極
２６に形成されるスリット２５の延在方向が二方向に分かれた２ドメインタイプとされた
点でのみ、第１の実施形態の液晶表示装置１０Ａと構成が相違する。そのため、第２の実
施形態の液晶表示装置１０Ｂについては、図６において上電極２６及びスリット２５の構
成のみを示し、その他の構成の詳細な説明は省略する。
【００４２】
この第２の実施形態の液晶表示装置１０Ｂによれば、赤（Ｒ）及び緑（Ｇ）のカラーフ
ィルタ層に対応するサブ画素を２ドメインタイプとしたため、赤（Ｒ）及び緑（Ｇ）のカ
ラーフィルタ層に対応するサブ画素についてはコントラスト及び視野特性が良好となる。
そして、青色は人の目に最も感度が低い色であるので、青色のサブ画素のコントラストや
視野特性は最も目立たないが、青色のカラーフィルタ層に対応するサブ画素を１ドメイン
タイプとすることにより、その高開口率及び高透過率を利用して青色の明るさを確保する
ことができるようになる。また、第２の実施形態の液晶表示装置１０Ｂによれば、白色の
色度を青色側に修正することができるようになる。
【００４３】
なお、第１の実施形態及び第２の実施形態では、赤（Ｒ）、緑（Ｇ）及び青（Ｂ）の３
原色のカラーフィルタ層を備える液晶表示装置の場合について説明したが、白（Ｗ）加え
た４色からなるカラーフィルタ層を備えたものに対しても適用可能である。更には、マゼ
ンタ（Ｍ）、黄（Ｙ）、シアン（Ｃ）等のフィルタ層のうち任意の１色ないし３色を加え
た液晶表示装置に対しても適用可能である。
【００４４】
また、第１の実施形態及び第２の実施形態では、平坦化膜１８の表面に下電極２２、絶
縁膜２３、上電極２６を形成した例を示したが、平坦化膜１８は使用せずにパッシベーシ
ョン膜１７の表面に直接下電極２２、絶縁膜２３、上電極２６を形成した例にも適用可能
である。更に、第１の実施形態及び第２の実施形態では、ＦＦＳモードの液晶表示装置の
例を説明したが、本発明はＩＰＳモードの液晶表示装置にも等しく適用可能である。この
ＩＰＳモードの液晶表示装置の場合、一対の電極の双方にスリットを形成して、この一対
の電極を共にくし歯状に互いに噛み合うように、所定距離隔てて配置したものとすればよ
い。
【図面の簡単な説明】
【００４５】
【図１】第１の実施形態のＦＦＳモードの液晶表示装置の２ドメインタイプのカラーフィルタ基板を透視して表した１サブ画素分の平面図である。
【図２】図１のII−II線に沿った断面図である。
【図３】図１のIII−III線に沿ったアレイ基板の断面図である。
【図４】図４Ａは図１のIVA−IVA線に沿ったアレイ基板の部分断面図であり、図４Ｂは図１のIVB−IVB線に沿ったアレイ基板の部分断面図であり、図４Ｃは図１のIVC−IVC線に沿ったアレイ基板の部分断面図である。
【図５】第１の実施形態のＦＦモードの液晶表示装置の３サブ画素分のアレイ基板の概略平面図である。
【図６】第２の実施形態のＦＦモードの液晶表示装置の３サブ画素分のアレイ基板の概略平面図である。
【図７】従来例の１ドメインタイプのＦＦＳモードの液晶表示装置の３サブ画素分のアレイ基板の概略平面図である。
【図８】従来例の２ドメインタイプのＦＦＳモードの液晶表示装置の３サブ画素分のアレイ基板の概略平面図である。
【符号の説明】
【００４６】
１０Ａ、１０Ｂ…液晶表示装置  １１、２８：透明基板  １２：走査線  １３：コモン
配線  １４：ゲート絶縁膜  １５：半導体層  １６：信号線  １７：パッシベーション膜
１８：平坦化膜  ２１、２４：コンタクトホール  ２２：下電極  ２３：絶縁膜  ２５
：スリット  ２６：上電極  ２７：第１の偏光板  ２９：遮光膜  ３０：カラーフィルタ
層  ３１：トップコート層  ３２：第２の偏光板  ＢＬ…バックライト  ＡＲ…アレイ基
板  ＣＦ…カラーフィルタ基板
【図１】
0005202938.tif 000002
【図２】
0005202938.tif 000003
【図３】
0005202938.tif 000004
【図４】
0005202938.tif 000005
【図５】
0005202938.tif 000006
【図６】
0005202938.tif 000007
【図７】
0005202938.tif 000008
【図８】
0005202938.tif 000009